(57)【要約】      （修正有）【課題】片手で操作できるとともに、被検眼の眼内を照明する光軸と観察光学軸の調整が容易にできる倒像検眼鏡を提供する。【解決手段】倒像検眼鏡は、倒像レンズ５を用いて被検眼６の眼底を観察する。倒像検眼鏡は、光源１と、光源１からの光を反射光と透過光に分割するビームスプリッタ３と、ビームスプリッタ３と被検眼６との間に配置される倒像レンズ５と、を備えている。倒像レンズ５とビームスプリッタ３は、検者が被検眼６の眼底を観察するときの観察光学軸１８上に配置されている。被検眼６の眼底からの反射像は、倒像レンズ５及びビームスプリッタ３を介して検者が観察するように構成されている。光源１は、観察光学軸１８からずれた位置に配置されており、ビームスプリッタ３で分割された反射光が倒像レンズ５を介して被検眼６の眼底を照明するように構成されている。【選択図】図２
2018050820.tif 000002
【特許請求の範囲】
【請求項１】
倒像レンズを用いて被検眼の眼底を観察する倒像検眼鏡であって、
光源と、
前記光源からの光を反射光と透過光に分割するビームスプリッタと、
前記ビームスプリッタと前記被検眼との間に配置される倒像レンズと、を備えており、
前記倒像レンズと前記ビームスプリッタは、検者が前記被検眼の眼底を観察するときの観察光学軸上に配置されており、
前記被検眼の眼底からの反射像は、前記倒像レンズ及び前記ビームスプリッタを介して前記検者が観察するように構成されており、
前記光源は、前記観察光学軸からずれた位置に配置されており、前記ビームスプリッタで分割された前記反射光が前記倒像レンズを介して前記被検眼の眼底を照明するように構成されている、倒像検眼鏡。
【請求項２】
前記反射光の光軸が、少なくとも前記倒像レンズの被検眼側の焦点の位置において前記観察光学軸からずれるように配置されている、請求項１に記載の倒像検眼鏡。
【請求項３】
前記倒像レンズの前記被検眼側の焦点の位置に前記被検眼の瞳孔エリアを位置決めしたときに、前記光源から前記ビームスプリッタを介した前記被検眼の瞳孔エリアまでの距離は、検者眼が明視の距離にあるときの前記被検眼の瞳孔エリアから前記検者眼の瞳孔エリアまでの距離と略等しくなるように前記光源が配置されており、
前記光源からの光のうち前記ビームスプリッタで分割された前記反射光は、前記倒像レンズを介して前記被検眼の瞳孔エリアに導かれるようになっている、請求項２に記載の倒像検眼鏡。
【請求項４】
前記ビームスプリッタで分割された前記透過光が照射される位置に配置され、前記透過光を吸収する吸収材をさらに備えている、請求項１〜３のいずれか一項に記載の倒像検眼鏡。
【請求項５】
前記ビームスプリッタは、ハーフミラーである、請求項１〜４のいずれか一項に記載の倒像検眼鏡。
【請求項６】
前記ハーフミラーは、前記光源からの光が照射される面の裏面に反射防止膜を備えている、請求項５に記載の倒像検眼鏡。
【請求項７】
前記光源からの光を調整する調整装置をさらに備える、請求項１〜６のいずれか一項に記載の倒像検眼鏡。
【請求項８】
前記倒像レンズは、１４Ｄ以上かつ３３Ｄ以下である、請求項１〜７のいずれか一項に記載の倒像検眼鏡。
【発明の詳細な説明】
【技術分野】
【０００１】
本明細書に開示する技術は、倒像検眼鏡に関する。
【背景技術】
【０００２】
被検眼の状態を把握するために、被検眼の眼底の観察が行われている。被検眼の眼底の観察には、手持ち式の倒像レンズと検眼鏡を用いて被検眼の眼底を観察する、倒像検眼法が最も一般的に用いられている。この倒像検眼法では、検者は、一方の手で光源を備えた検眼鏡を保持しながら、他方の手で検眼鏡と被検眼の間に倒像レンズを配置する。検者は、検眼鏡の光源から照射される光の光軸と、被検眼から倒像レンズを介して反射される観察光の光軸の両者を微調整しながら、被検眼の眼底を観察する。
【０００３】
なお、倒像レンズと光源とが一体となり、片手で操作できる倒像検眼鏡が開発されている。例えば、特許文献１に開示された倒像検眼鏡は、ケーシング内に倒像レンズと光源が収容されている。光源から照射される光は、観察光学軸からずれた位置で偏向され、倒像レンズに向かって照射される。
【先行技術文献】
【特許文献】
【０００４】
【特許文献１】特開平１１−９５５３号公報
【発明の概要】
【発明が解決しようとする課題】
【０００５】
上記の倒像検眼法では、検者が一方の手で倒像レンズを保持し、他方の手で検眼鏡を保持した状態で観察しなければならないため、作業性が悪いという問題があった。また、光源から照射される光の光軸は、被検眼の瞳孔エリアに照射されるように調整する必要がある。しかしながら、被検眼の瞳孔エリアは小さいため、検者が光軸を調整するために許容される範囲は狭い範囲に限定される。一方、光源からの光の光軸が観察光学軸と干渉すると、検者眼は被検眼の眼底を観察できないため、光源からの光の光軸と観察光学軸をずらす必要がある。このため、検者は、光源から照射される光の光軸を、狭い範囲内で、かつ、観察光学軸と干渉しないように調整しなければならず、光源からの光の光軸と観察光学軸の調整には熟練の技術を要するという問題があった。
【０００６】
特許文献１の倒像検眼鏡は、倒像レンズと光源が一体となっているため、検者は被検眼の眼底の観察を片手で行うことができる。このため、検者が両手を使って観察するために作業性が悪くなるという問題は解決できる。しかしながら、光源から照射される光は観察光学軸からずれた位置に設置された光学部品（プリズム）で偏向される。このため、上記プリズムで偏向される照明光束との関係で光軸が大きくずれると、被検眼の瞳孔エリアが狭い場合には、観察光学軸を被検眼の瞳孔エリア内に維持しながら、偏向された照明光を被検眼の瞳孔エリア内に照射することが困難になるという問題があった。
【０００７】
本明細書は、片手で操作できるとともに、被検眼の眼内を照明する光軸と観察光学軸の調整が容易にできる倒像検眼鏡を開示する。
【課題を解決するための手段】
【０００８】
本明細書に開示する倒像検眼鏡は、倒像レンズを用いて被検眼の眼底を観察する。倒像検眼鏡は、光源と、光源からの光を反射光と透過光に分割するビームスプリッタと、ビームスプリッタと被検眼との間に配置される倒像レンズと、を備えている。倒像レンズとビームスプリッタは、検者が被検眼の眼底を観察するときの観察光学軸上に配置されている。被検眼の眼底からの反射像は、倒像レンズ及びビームスプリッタを介して検者が観察するように構成されている。光源は、観察光学軸からずれた位置に配置されており、ビームスプリッタで分割された反射光が倒像レンズを介して被検眼の眼底を照明するように構成されている。
【０００９】
上記の倒像検眼鏡では、ビームスプリッタが観察光学軸上に配置されている。このため、反射光（照明光）の光軸を観察光学軸と極めて近い位置に配置することができる。このため、被検眼に観察光学軸を合わせたときに、ビームスプリッタで分割された反射光が被検眼の眼内を照明するように反射光の光軸を調整することが容易になる。また、光源は、観察光学軸からずれた位置に配置されている。このため、光源が観察光学軸と干渉することはなく、検者は被検眼を観察することができる。
【図面の簡単な説明】
【００１０】
【図１】本実施例に係る倒像検眼鏡の概略構成を示す図。
【図２】本実施例に係る倒像検眼鏡の光学系を示す図。
【図３】本実施例に係る倒像検眼鏡を用いて被検眼を観察しているときの被検眼の正面図であり、被検眼の瞳孔径が大きい状態を示す。
【図４】本実施例に係る倒像検眼鏡を用いて被検眼を観察しているときの被検眼の正面図であり、被検眼の瞳孔径が小さい状態を示す。
【図５】本実施例に係る倒像検眼鏡を用いて被検眼を観察しているときの検者眼の位置を示す図であり、（ａ）は検者眼が明視の距離にあるときを示し、（ｂ）及び（ｃ）は検者眼が明視の距離より近い位置にあるときを示す。
【発明を実施するための形態】
【００１１】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１２】
（特徴１）本明細書が開示する倒像検眼鏡では、反射光の光軸が、少なくとも倒像レンズの被検眼側の焦点の位置において観察光学軸からずれるように配置されていてもよい。このような構成によると、反射光によって被検眼の眼内を照明する一方、観察光学軸上の被検眼側の焦点の位置を照明しない。このため、反射光の光軸は、被検眼側の焦点の位置において観察光学軸と互いに干渉し合うことがなく、検者は被検眼を好適に観察することができる。
【００１３】
（特徴２）本明細書が開示する倒像検眼鏡では、倒像レンズの被検眼側の焦点の位置に被検眼の瞳孔エリアを位置決めしたときに、光源からビームスプリッタを介した被検眼の瞳孔エリアまでの距離は、検者眼が明視の距離にあるときの被検眼の瞳孔エリアから検者眼の瞳孔エリアまでの距離と略等しくなるように光源が配置されていてもよい。光源からの光のうちビームスプリッタで分割された反射光は、倒像レンズを介して被検眼の瞳孔エリアに導かれるようになっていてもよい。このような構成によると、光源から被検眼までの距離を、検者眼が明視の距離にあるときの被検眼の瞳孔エリアから検者眼の瞳孔エリアまでの距離と略等しい距離に保持することができる。このため、検者眼の位置に関わらず、光源からの光は被検眼の眼内を好適に照明することができる。
【００１４】
（特徴３）本明細書が開示する倒像検眼鏡は、ビームスプリッタで分割された透過光が照射される位置に配置され、透過光を吸収する吸収材をさらに備えていてもよい。このような構成によると、ビームスプリッタを透過した透過光が吸収材に吸収されるため、透過光が観察光に干渉することを抑制することができる。このため、検者はより鮮明に被検眼を観察することができる。
【００１５】
（特徴４）本明細書が開示する倒像検眼鏡では、ビームスプリッタは、ハーフミラーであってもよい。ハーフミラーは、板状の形状であり、反射光と透過光を略１：１に分割できる。このため、ハーフミラーは倒像検眼鏡内に配置しやすく、また、反射光と透過光のそれぞれの経路や光量を予測しやすい。したがって、倒像検眼鏡の製造を容易に行うことができる。
【００１６】
（特徴５）本明細書が開示する倒像検眼鏡では、ハーフミラーは、光源からの光が照射される面の裏面に反射防止膜を備えていてもよい。このような構成によると、裏面を通過する透過光がハーフミラーの裏面で反射されることを防止することができる。このため、ハーフミラーの表面と裏面との間で多重反射の生じることがなくなり、裏面で反射された透過光がグレアとなって観察光に干渉することを防止することができる。
【００１７】
（特徴６）本明細書が開示する倒像検眼鏡は、光源からの光を調整する調整装置をさらに備えていてもよい。調整装置は、例えば、光源からの光の照度を調整する装置を挙げることができる。このような構成によると、光源からの光を所望の状態に調整することができる。このため、被検眼や検者眼の状態に合わせて観察することができる。
【００１８】
（特徴７）本明細書が開示する倒像検眼鏡では、倒像レンズは、１４Ｄ以上かつ３３Ｄ以下であってもよい。なお、Ｄとは、レンズの屈折率を表す単位であるディオプトリを示す。このような構成によると、被検眼の眼底を好適に拡大して観察することができる。
【実施例】
【００１９】
本実施例に係る倒像検眼鏡１０について説明する。図１に示すように、倒像検眼鏡１０は、光源１と、反射板１４，１５と、ハーフミラー３と、倒像レンズ５と、吸収材４と、ケーシング１１を備えている。光源１と、反射板１４，１５と、ハーフミラー３と、倒像レンズ５と、吸収材４はケーシング１１内に収容されており、ケーシング１１には、開口１２、１３が設けられている。
【００２０】
光源１は、可視域の照明光を発するＬＥＤを用いた照明装置であり、光源１から照射された光は、被検眼６の眼内を照明する。光源１は、ケーシング１１の底面の近傍に配置されており、ケーシング１１内を上方に向かって照明するように配置されている。光源１から照射された光は、反射板１４、１５及びハーフミラー３によって反射され、倒像レンズ５及び開口１２を通ってケーシング１１の外部に照射される。すなわち、光源１から照射され光は、光源１の上方に配置された反射板１４によって反射される。反射板１４によって反射された光は、反射板１４の下方に配置された反射板１５によって反射される。反射板１５によって反射された光は、反射板１５の上方に配置されたハーフミラー３に照射される。ハーフミラー３に照射された光は、ハーフミラー３を透過する透過光と、ハーフミラー３から反射される反射光とに分割される。ハーフミラー３によって反射された光は、倒像レンズ５を介して開口１２からケーシング１１の外部に照射される。このように、反射板１４、１５を用いて光源１からの光を反射させることで、光源１からハーフミラー３までの距離を確保しながら、光源１からハーフミラー３までのケーシング１１の高さ方向の寸法を小さくすることができる。なお、本実施例では、光源１からの光は反射板１４、１５を介してハーフミラー３に導いているが、このような構成に限定されない。光源１からの光が反射板を介することなく直接ハーフミラー３に導かれるように構成されていてもよいし、さらに多くの反射板を介してハーフミラー３に導かれるように構成されていてもよい。
【００２１】
光源１は、４つのＬＥＤを備えており、本実施例では各ＬＥＤの径は約５．０ｍｍとなっている。光源１は、その中心部が観察光学軸１８に一致するように配置され（すなわち、観察光学軸１８に沿って進む光がハーフミラー３で反射され、その反射された光が進む光軸上に配置され）、４つのＬＥＤは中心部から均等な位置に配置されている。すなわち、ＬＥＤは、光源１の中心部には配置されておらず、中心部から上下左右に均等な位置に配置される。具体的には、各ＬＥＤは、中心部から等距離となる位置であって、周方向に均等な間隔（９０°間隔）を空けて配置されている。このため、光源１の中心部が被検眼６の瞳孔エリア２０の中心と一致する（すなわち、観察光学軸１８が瞳孔エリア２０の中心を通る）ように光源１から光を照射すると、図３に示すように、４つのＬＥＤの光は、被検眼６の瞳孔エリア２０内において、中心（図３の被検眼６に結像した検者眼の瞳孔エリア２１の位置）に対して上下左右の４箇所（図３の被検眼６を照明する光２２の位置）を照明する。また、光源１の中心部にはＬＥＤが配置されていないため、光源１から照射される光の光軸は観察光学軸と一致しない。なお、本実施例では、光源１は４つのＬＥＤを備えているが、このような構成に限定されない。観察光学軸と一致する位置とは異なる位置にＬＥＤが配置されていればよく、例えば、ＬＥＤの数は４つより多くてもよいし、少なくてもよい。また、本実施例では、各ＬＥＤの径が約５．０ｍｍとなっているが、このような構成に限定されない。例えば、５．０ｍｍより小さな径のＬＥＤを使用してもよいし、ＬＥＤの照射口に照明絞りを設けることによって、ＬＥＤの有効径を小さくして使用できるようにしてもよい。ＬＥＤの径を小さくすると、光源から照射される光と観察光学軸との干渉をより改善することができる。また、本実施例では、光源１にＬＥＤを用いているが、被検眼６の眼底を照明できる光源であればよく、照明の種類については限定されない。
【００２２】
また、倒像検眼鏡１０は、図示しないＬＥＤセレクトスイッチ及びＬＥＤ照度調整スイッチを備えている。ＬＥＤセレクトスイッチを操作することによって、光源１の４つのＬＥＤのいずれを点灯し、又はいずれを消灯するかについて検者が選択することができる。また、ＬＥＤ照度調整スイッチは、ＬＥＤの発光の明るさを調整するスイッチである。ＬＥＤ照度調整スイッチを操作することによって、照明の光量を調整することができる。なお、ＬＥＤセレクトスイッチ及びＬＥＤ照度調整スイッチは、「調整装置」の一例である。
【００２３】
ハーフミラー３は、光源１から照射される光が照射されるように配置され、光源１から照射される光を反射光と透過光に分割する。ハーフミラー３に照射される光を１００％としたとき、略５０％の光は反射光として反射され、残りの略５０％の光は透過光としてハーフミラー３を透過する。ハーフミラー３には、光源１から光が照射される面の裏面に、反射防止膜が配置されている。ハーフミラー３の裏面に反射防止膜が配置されていることによって、裏面に照射された透過光がハーフミラー３の裏面で反射されることを防止することができる。このため、ハーフミラーの表面と裏面との間で多重反射が生じることがなくなり、裏面で反射された透過光がグレアとなって観察光と干渉することを防止することができる。ハーフミラー３は、開口１２と開口１３の間に配置されており、光源１から照射されてハーフミラー３で反射される光が開口１２からケーシング１１の外部に反射されるように、観察光学軸１８に対して所定の角度だけ傾斜した状態で配置される。また、ハーフミラー３は、観察光学軸１８上に配置されている。なお、本実施例ではハーフミラー３を用いているが、このような構成に限定されない。光源１からの光を反射光と透過光に分割できるビームスプリッタであればよく、分割される反射光と透過光の割合は上記の例に限定されるものではない。また、本実施例のハーフミラー３は板状であるが、このような形状に限定されない。
【００２４】
吸収材４は、黒色無反射ラシャ紙（例えば、可視光域の平均吸収率９９％）を用いて形成されており、ハーフミラー３の透過光が照射される位置に配置されている。すなわち、吸収材４は、ハーフミラー３の裏面側で、かつ、倒像検眼鏡１０の上部（ケーシング１１の上部）に配置される。吸収材４は、ハーフミラー３の透過光を吸収し、かつ、吸収材４に照射された透過光を反射しにくくなっている。吸収材４は、透過光が照射される面（吸光面）が略平面となるように形成されている。吸収材４の吸光面は、観察光学軸１８に対して傾いて配置されている。このように配置することによって、吸収材４に照射された透過光が吸収材４から反射されても、その反射した光が観察光と干渉することを抑制することができる。なお、本実施例では、吸収材４は黒色無反射ラシャ紙を用いて形成されているが、このような構成に限定されない。光を吸収できる材質で形成されていればよく、さらに吸収材４に照射された透過光が反射しにくい材質で形成されていることが好ましい。例えば、光吸収ホイル（例えば、紫外、可視、赤外光の吸収率９９．９％以上、正反射率は０．１％以下）といった吸収材を用いてもよく、このような場合では、観察光学軸１８に対して傾いた配置への配慮も必要としないため好ましい。
【００２５】
倒像レンズ５は、ハーフミラー３と開口１２の間に配置される。本実施例では、２０Ｄの倒像レンズが用いられているが、例えば、１４Ｄ以上かつ３３Ｄ以下の倒像レンズを用いてもよい。１４Ｄ〜３３Ｄの倒像レンズは倒像検眼鏡として単体での肉眼観察に最も適する範囲であるとされ、被検眼６の眼底を適切に拡大して観察することができる。観察できる眼底の視野は、被検眼瞳孔からの見込角でそれぞれ１４Ｄが５５度（９乳頭径）、２０Ｄが４５度（７．５乳頭径）、３３Ｄが３５度（６乳頭径）程度であり、標準的な眼科診断を行う上で最も有用性が高いとされる。例えば、１４Ｄは被検眼との調整がやや難しいが、基本的には２０Ｄより少し広い視野が得られる。３３Ｄは少し視野が狭くなるが、拡大率が高く被検眼との調整が周辺まで容易である。このため、特に１４Ｄと３３Ｄは使い勝手で選ばれ、いずれも標準的な診断に有用な範囲とされる。また、３３Ｄ以下の倒像レンズ５を用いる範囲であれば、それ以上の６０Ｄ、９０Ｄ、１２０Ｄといった高倍率の倒像レンズ（特に視野が狭くなるので顕微鏡の補助が必要）を使う場合に比較して、単純拡大による像質の劣化を防止することができる。
【００２６】
図２を参照して、倒像検眼鏡１０の光学系について説明する。なお、図２では、説明を簡略化するため、光源１から照射される光は、反射板１４、１５を介することなく、直接ハーフミラー３に達するように記載している。
【００２７】
まず、光源１から照射された光は、ハーフミラー３に照射される。ハーフミラー３に照射された光は、ハーフミラー３を透過する透過光と、ハーフミラー３によって反射される反射光に分割される。透過光は、吸収材４に吸収される。一方、反射光は、倒像レンズ５に向かって照射される。このとき、光源１から照射される光の光量を１００％とすると、反射光の光量は、ハーフミラー３で分割されることによって約５０％となる。
【００２８】
検者は、倒像レンズ５の開口１２側（図１参照）の焦点が被検眼６の瞳孔エリア２０となるように、倒像検眼鏡１０を被検眼６の眼前に配置する。このため、光源１からの光は、観察光学軸１８と略同軸で照射されるため、倒像レンズ５の焦点である被検眼６の瞳孔エリア２０で結像し、被検眼６の眼内を照明する。すなわち、ハーフミラー３によって反射された反射光によって、被検眼６の眼底が照明される。ここで、眼底に照射された光が眼底から反射される反射率は約４％であることが知られている。このため、被検眼６の眼底を照射する反射光が眼底から反射されると、その光量は光源１から照射される光の光量の約２％（すなわち、光源１から照射される光の約５０％の光量である反射光の４％）となる。
【００２９】
被検眼６の瞳孔エリア２０に結像するように倒像検眼鏡１０を被検眼６の眼前に配置するため、被検眼６の眼底は、倒像レンズ５のハーフミラー３側の焦点の位置で、像面１７として結像する。像面１７は、被検眼６の眼底が１８０°回転した倒像である。検者は、検者眼７を観察光学軸１８上に配置することによって、像面１７を観察することができる。このとき、観察光学軸１８上にはハーフミラー３が配置されているため、被検眼６の眼底から検者眼７に達する光の光量は、光源１から照射される光の光量の約１％（すなわち、被検眼６の眼底から反射される光量２％のさらに半分）となる。
【００３０】
観察光学軸１８上において検者眼７を配置する位置は、像面１７から明視の距離だけ離れた位置であることが好ましい。明視の距離とは、検者眼７が物体を見るときに物体の細部まで無理なく見るためにピント調節できる距離であり、検者眼７によって個人差があるが、約２５０ｍｍと定義することができる。検者眼７を像面１７から明視の距離Ｌ１だけ離れた位置に配置することによって、検者は像面１７全体を観察することができる。
【００３１】
上述したように、本実施例では、２０Ｄの倒像レンズ５を用いている。このため、倒像レンズ５の検者眼７側の焦点のまでの距離、すなわち、倒像レンズ５から像面１７までの距離Ｌ２は、約５０ｍｍとなる。このため、倒像レンズ５から検者眼７までの距離（Ｌ１＋Ｌ２）は約３００ｍｍとなる。これより、倒像レンズ５から被検眼６側の焦点の位置までの距離Ｌ３は、レンズの公式を用いて計算すると、約６０ｍｍと算出できる。以上から、倒像レンズ５を介した被検眼６と検者眼７の倍率差は、約５倍であることがわかる。したがって、観察光学軸１８上において、検者眼７の瞳孔エリアは、倒像レンズ５によって被検眼６の眼前部に−５倍に縮小されて結像する。光源１についても、同一の倒像レンズ５を介して被検眼６を照明するため、被検眼６に対して同様の縮小倍率になるよう配置する。すなわち、ハーフミラー３を介した光源１から倒像レンズ５までの距離が、Ｌ１＋Ｌ２（すなわち、本実施例では約３００ｍｍ）と一致するように光源１を設置する。すると、検者が被検眼６の瞳孔エリア２０に焦点が位置するように倒像検眼鏡１０を配置したとき、光源１から照射される光は被検眼６の眼内を照明することができる。
【００３２】
図３及び図４を参照して、観察光学軸１８と、被検眼６を照明する照明光の光軸について説明する。図３は、被検眼６の瞳孔径Ｌ４が４．０ｍｍとなっているときの、被検眼６の瞳孔エリア２０に倒像レンズ５の焦点が位置している状態の被検眼６の正面図である。散瞳剤を点眼した場合、眼の瞳孔径は少なくとも４．０ｍｍとなると想定される。そこで、図３では、被検眼６の瞳孔径Ｌ４が、散瞳剤を使用した場合の最小の瞳孔径である４．０ｍｍとなった状態を示している。また、光源１については、４つのＬＥＤを全て点灯した場合を示している。
【００３３】
図３に示すように、被検眼６の眼前部に結像される検者眼７の瞳孔エリア２１（以下、単に「検者眼の瞳孔エリア２１」と称することがある。）は、被検眼６の瞳孔エリア２０の中央に配置されるよう観察光学軸１８が配置されている。可視照明下での瞳孔径は、２．５〜４．０ｍｍであることが知られている。そこで、検者眼７の瞳孔径は、想定される可視照明下での瞳孔径の最大である４．０ｍｍとしている。上述したように、検者眼７の瞳孔エリアは、倒像レンズ５によって被検眼６の眼前部に−５倍に縮小されて結像する。したがって、検者眼の瞳孔エリア２１の瞳孔径Ｌ５は、０．８ｍｍとなる。
【００３４】
被検眼６の眼内を照明する光の径は、ＬＥＤの径となる。このため、径５．０ｍｍの４つの光が被検眼６の眼内を照明することになる。上述したように、光源１は明視の距離を保持するように配置されているため、被検眼６の眼前部に結像される光２２（以下、単に「結像される光２２」とも称することがある。）の径Ｌ６は、５．０ｍｍの−５倍である１．０ｍｍとなる。被検眼６の眼前部に結像する４つの光２２は、検者眼の瞳孔エリア２１を上下左右に取り囲むように配置される。
【００３５】
上記の配置において、Ｌ４、Ｌ５及びＬ６の寸法から、検者眼の瞳孔エリア２１と４つの結像される光２２との間に、それぞれ０．６ｍｍのクリアランスが生じる。したがって、照明光の光軸が観察光学軸１８と干渉することがないため、検者は、被検眼６を好適に観察することができる。
【００３６】
本実施例の倒像検眼鏡１０では、照明光の光軸が、観察光学軸１８と極めて近い位置であって、かつ、観察光学軸１８を干渉しない位置に配置されている。このため、照明光の光軸と観察光学軸１８とが略一致するものとして、検者は、照明光の光軸を調整する必要がなく、観察光学軸１８を調整することによって被検眼６を観察することができる。したがって、観察光学軸１８と光軸を微調整する技術を必要としないため、誰でも容易に被検眼６の眼底を観察することができる。
【００３７】
図４は、被検眼６の瞳孔径Ｌ４が２．４ｍｍとなっているときの、被検眼６の瞳孔エリア２０に倒像レンズ５の焦点が位置している状態の被検眼６の正面図である。図４では、被検眼６の瞳孔径Ｌ４は、想定される可視照明下での瞳孔径の最小である２．５ｍｍより小さくなっている。また、光源１については、被検眼６の瞳孔径が小さいため、ＬＥＤを１灯のみ点灯した場合を示している。
【００３８】
図４に示すように、検者眼の瞳孔エリア２１は、被検眼６の瞳孔エリア２０の左側に結像するよう観察光学軸１８が配置されている。図４においても、観察光学軸１８と光源１から照射される光の光軸は図３の状態と同様となっている。すなわち、検者眼の瞳孔エリア２１の径Ｌ５は０．８ｍｍであり、結像される光２２の径Ｌ６は１．０ｍｍとなっている。また、検者眼の瞳孔エリア２１と結像される光２２の間のクリアランスについても、図３の状態と同様の０．６ｍｍとなる。したがって、検者眼の瞳孔エリア２１の径Ｌ５と、結像される光２２の径Ｌ６と、両者の間のクリアランス０．６ｍｍの合計は、被検眼６の瞳孔径Ｌ４を超えない。このため、図４の状態においても、検者は被検眼６の眼底を観察することができる。したがって、本実施例の倒像検眼鏡１０は、被検眼６に散瞳剤を点眼しない場合であっても、検者が被検眼６の眼底を観察するために用いることができる。
【００３９】
上述したように、光源１から照射される光は調整することができる。例えば、図４の状態のように、光源１のＬＥＤを１つのみ点灯させて被検眼６を観察することができる。このため、被検眼６の状態や検者が観察する環境等に応じて照明方法を選択することができる。また、図４に示すように、被検眼６の瞳孔エリア２０内において観察光学軸１８の位置を移動させることができるため、被検眼６の周辺部の眼底であっても被検眼６の瞳孔エリア２０内でさらに光軸を周辺方向に向けて斜めに入れることで要部を部分的に観察することができる。このため、観察光学軸１８に対して所望の方向から照明することができ、症例に応じて眼内への入射位置を変更することができる。
【００４０】
図５を参照して、検者眼７が観察光学軸１８上を移動したときに検者眼７で観察される反射像について説明する。図５（ａ）は、検者眼７が観察光学軸１８上において、像面１７から明視の距離に位置している状態を示しており、図２と同様の状態である。
【００４１】
図５（ｂ）は、検者眼７が観察光学軸１８上を、像面１７に近い位置に移動した状態を示している。検者眼７が図５（ｂ）に示す位置に移動しても、光源１は、明視の距離に配置した場合と同様の位置に配置されているため、光源１から照射される光は、被検眼６の眼内を照明することができる。検者眼７は、明視の距離よりも近い位置にあるが、検者自身のピント調節機能により、像面１７を観察することができる。この場合には、図５（ｂ）に示すように、検者は像面１７全体を観察することができなくなり、被検眼６の一部を観察することになる。しかし、近い位置から観察するため、被検眼６の眼底をより大きい状態で観察することができる。このため、被検眼６の眼底の要部観察を好適に行うことができる。
【００４２】
図５（ｃ）は、検者眼７が図５（ｂ）の位置に移動し、さらに矯正用レンズ２４を用いた状態を示している。図５（ｂ）の位置において検者眼７が被検眼６を観察するためには、検者眼７自身のピント調節機能によって像面１７のピントを調節する必要がある。このため、検者眼７のピント調節機能が不十分である場合、図５（ｂ）の位置では被検眼６を観察できなくなる。検者眼の眼前に矯正用レンズ２４を配置することによって、ピント調節機能が不足する検者眼７であっても、明視の距離より近い位置に移動して被検眼６を観察することができる。
【００４３】
本実施例の倒像検眼鏡１０は、光源１からの光をハーフミラー３を介して側方から導入する。このため、光源１から倒像レンズ５の像面１７に対して必要となる明視の距離を観察光学軸１８の側方に設けることができ、検者眼７が明視の距離の制約を受けることがなくなる。このため、検者眼７は、観察光学軸１８上を自由に移動することができる。検者眼７を観察光学軸１８上で移動させることによって、倒像レンズ５を変更することなく、被検眼６の要部を拡大して観察することが可能となる。
【００４４】
以上、本明細書に開示の技術の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。
【符号の説明】
【００４５】
１：光源
３：ハーフミラー
４：吸収材
５：倒像レンズ
６：被検眼
７：検者眼
１０：倒像検眼鏡
１１：ケーシング
１２、１３：開口
１４、１５：反射板
１７：像面
１８：観察光学軸
２０：被検眼の瞳孔エリア
２１：被検眼の眼前部に結像される検者眼の瞳孔エリア
２２：被検眼の眼前部に結像される光
２４：矯正用レンズ
【図１】
2018050820.tif 000003
【図２】
2018050820.tif 000004
【図３】
2018050820.tif 000005
【図４】
2018050820.tif 000006
【図５】
2018050820.tif 000007